(57)【特許請求の範囲】
【請求項１】
選択的に作動させられる積み重ねられた２個の電磁石（８，９）を備えたスリーポジション式織成機構の選択装置において、
前記選択装置に固定された軸（１２）に枢着された少なくとも１本のレバー（１０，１１）を備え、前記レバーが、その３つの位置を生じるように前記電磁石と選択的に協働するアーマチュア（１５，１６）を備えていることを特徴とする選択装置。
【請求項２】
前記レバー（１０）が、前記アーマチュアを収容する非磁性構造体（１７）を備えていることを特徴とする請求項１記載の選択装置。
【請求項３】
少なくとも１つの前記アーマチュア（１５）が非磁性構造体（１７）と相対的に動くことができることを特徴とする請求項２記載の選択装置。
【請求項４】
前記非磁性構造体（１７）と、この非磁性構造体と相対的に動く前記アーマチュア（１５）とが、互いに独立して前記軸（１２）に枢着されていることを特徴とする請求項３記載の選択装置。
【請求項５】
前記可動のアーマチュア（１５）がヒール部（１５ｄ）を備え、このヒール部が前記軸（１２）まわりの旋回トルクを前記非磁性構造体（１７ｄ）に伝達することを特徴とする請求項３記載の選択装置。
【請求項６】
前記非磁性構造体が棒材部（１７ｅ）を備え、この棒材部が前記軸（１２）まわりの旋回トルクを前記可動のアーマチュア（１５）に伝達することを特徴とする請求項３記載の選択装置。
【請求項７】
前記レバー（１０）が端部（１０ａ）を備え、この端部が、織成機構の少なくとも１つのヘルドの位置を決定する索条部材（４，５）を支持する１或いは２個の可動フック（１，２）の水平な孔（１ａ，２ａ）に選択的に挿入されることを特徴とする請求項１記載の選択装置。
【請求項８】
前記フックの一方（１）がその経路の上死点に到達するときに、このフックによって前記端部（１０ａ）が移動させられることを特徴とする請求項７記載の選択装置。
【請求項９】
請求項１記載の選択装置を備えたスリーポジション式ジャカード織機の織成機構。
【請求項１０】
請求項９記載の織成機構を備えた織機。
【発明の詳細な説明】
【０００１】
【発明の属する技術分野】
本発明は、織成機構の選択装置及びスリーポジション式ジャカードの織成機構並びにそのような織成機構を備えた織機に関する。
【０００２】
【従来の技術】
たて糸の３つの位置を生じるようになっている織成機構が組み込まれた織機は、ベルベット或いはカーペットのような特殊な織物を造るために使用される。
ヨーロッパ特許出願第0 723 041 号明細書にスリーポジション式ジャカード機構が開示されている。この機構では、ヘルドの高さを決定する索条部材に関連した可動フックが積み重ねられた電磁石により選択できる。この装置は複雑であり、また可動フックを度々変形させる。このことは、工業的応用のための十分な寿命及び高速操作を保証するための十分な剛性を可動フックに与えることを妨げる。それに加えて、フックに強いられる相当な変形は強力な電磁石を必要とし、その結果、周知の織機に関連しかつ大多数の電磁石を備えた織機によって奪われるエネルギーは相当なものとなる。
【０００３】
【発明が解決しようとする課題】
本発明の目的は、簡単であり、それにより経済的であり、そして高速操作が可能でかつ僅かのエネルギしか消費しない、スリーポジション式織成機構の選択装置を提案することによって上述の問題を解決せんとするものである。本発明の他の実施形によれば、本発明の目的は、対をなして、即ち一対のフックの第１フックが第２フックに単に当接して移動させられるフックで操作できる選択装置を提供することにある。
【０００４】
【課題を解決するための手段】
そのため、本発明は、選択的に作動させられる積み重ねられた２つの電磁石を備えたスリーポジション式織成機構の選択装置であって、前記選択装置に固定された軸に枢着された少なくとも１つのレバーを備え、前記レバーが、その３つの位置を生じるように前記電磁石と選択的に協働するアーマチュアを備えていることを特徴とする選択装置を提案する。
【０００５】
本発明により、織機を操作している間、レバーを、織機のたて糸の所望の３つの高さに対応する３つの位置のうち所望の位置に配置させることができる。レバーは、このレバーを構成する部材或いはこのレバーの選択を可能にする可動フックの変形なしに旋回される。これにより、これらの部材は機械的に疲労しない。本発明の第１の有利な実施形によれば、レバーは、アーマチュアを収容する非磁性構造体を備えている。本発明のこの実施形は、アーマチュアと、このアーマチュアに関連する電磁石との操作を分離させることを可能にする。この場合、及び本発明の他の有利な実施形によれば、少なくとも１つのアーマチュアが非磁性構造体と相対的に動くことができる。本発明のこの実施形は、アーマチュアの１つがこれと関連する電磁石との協働によって固定された位置にある時、枢着されたレバーに付加的な自由度を与えることを可能にする。
【０００６】
本発明の他の有利な実施形によれば、非磁性構造体と、この非磁性構造体と相対的に動くアーマチュアとが、互いに独立して前記軸に枢着されている。この構成により、非磁性構造体に対してアーマチュアの角度方向の間隙が得られる。
本発明の他の有利な実施形によれば、可動のアーマチュアがヒール部を備え、このヒール部が軸まわりの旋回トルクを非磁性構造体に伝達する。
【０００７】
本発明の他の有利な実施形によれば、非磁性構造体が棒材部を備え、この棒材部が前記軸まわりの旋回トルクを前記可動のアーマチュアに伝達する。
本発明の他の有利な実施形によれば、レバーが端部を備え、この端部が、織成機構の少なくとも１つのヘルドの位置を決定する索条部材を支持する１或いは２個の可動フックの水平な孔に選択的に挿入される。従って、このレバーの端部が、織成機構のフックをその経路の上死点付近で固定するための手段を形成する。
【０００８】
本発明の他の有利な実施形によれば、フックの一方がその経路の上死点に到達するときに、このフックによって前記端部が移動させられる。本発明のこの実施形は、本発明に従う装置を備えた織成機構のレバーの高さ位置を所定の位置にすることを可能にする。これにより、レバーを移動させる必要はないが、選択的にレバーをその位置に保持できるような磁力に電磁石の磁力を制限することができる。
【０００９】
本発明はまた、上述したような選択装置を備えたスリーポジション式ジャカード織機の織成機構と、そのような織成機構を備えた織機に関する。
【００１０】
【発明の実施の形態】
添付した図面を参照して、以下の記載に基づいて本発明がより理解できる。
図面を参照して、図１に示されたスリーポジション式織成機構の選択装置は、垂直方向の交互運動によって付勢されるナイフ３に当接して移動させられる２つの可動フック１及び２を、その経路の上死点付近で固定するようになっている。この可動フック１と２はコード４或いは５にそれぞれ連結され、このコードは、ジャカードハーネスに所属するヘルドの高さを制御するプーリーを垂直方向に移動させるための索条部材を構成する。これらのフックは対をなして、即ちフランス国特許出願 96 12329 号明細書に開示された方法で、一方のフックが他方のフックに当接して作動する。この機構は、制御モジュール（図示せず）によって選択的に作動させられるようになっている積み重ねられた２個の電磁石８と９を備えている。
【００１１】
この電磁石８と９の両側に２個のレバー１０と１１が配置されており、以下にその一方のレバー１０について詳細に説明するが、レバー１１もまた同一である。レバー１０は、装置のフレームに固定された軸１２に旋回可能に枢着されている。このレバー１０は第１アーマチュア１５と第２アーマチュア１６とを備えており、第１アーマチュアは同様に軸１２に旋回可能に取付けられ、また第２アーマチュア１６は非磁性構造体１７に把持されている。この非磁性構造体の幾何学形状は図４からはっきりと見てとれる。アーマチュア１５と１６はそれぞれ、電磁石８と９の上側及び下側の磁極に当接する延長部１５ａ，１６ａ，１５ｂ及び１６ｂを備えている。図１、図２及び図３を比べてよりはっきりと判るように、レバー１０は装置のフレームに固定された中央リブ１９に当接したバネ１８の力に抗して３つの位置を得るようになっている。
【００１２】
２個の電磁石８と９が作動させられた時、アーマチュア１５と１６は電磁石の磁極に対して当てられて保持される。その結果、レバー１０の下端部１０ａはフック１と２に対して後退して保持される。この場合、この下端部１０ａはフック１のほぼ平行な孔１ａ内に挿入されていないので、ナイフ３がその下降運動を開始した時、フック１と２はナイフ３に当接して下降する。
【００１３】
電磁石９と第２アーマチュア１６との協働によって得られる力がばね１８による復帰力に打ち勝つために十分である時、図１の位置は、電磁石８が作動或いは非作動のどんな状態でも得られる。
図２の位置では、電磁石８だけが作動されられているので、ばね１８の復帰力の影響下でレバー１０の端部１０ａがフック１の孔１ａに挿入され、かつコード４と、このコードに関連するプーリー（図示せず）とを上方位置で保持する。他方で、フック２はナイフ３の後を追って下降運動を行う。
【００１４】
図３の位置では、電磁石８と９のいずれもが作動されず、その際ばね１８による復帰力によりレバー１０の端部１０ａがフック１及び２の方へ押されるので、レバー１０の端部１０ａが水平な孔１ａと２ａの両方に挿入され、そしてフック１と２がその経路の上死点付近に固定される。
このように、電磁石８及び９と、アーマチュア１５及び１６との協働に応じて、レバー１０は、図１，２及び３にそれぞれ示す３つのうちの１つの位置にある。
【００１５】
特に有利な本発明の実施形によれば、アーマチュア１５は非磁性構造体１７と相対的に動くことができる。即ち、アーマチュア１５は、非磁性構造体１７と独立してこのアーマチュア１５を軸１２に枢着することを可能にするアイレット１５ｃを備えている。非磁性構造体１７は、中央部が穿孔されかつ軸１２上のアイレット１５ｃを囲繞するようになっているほお部１７ａと１７ｂを備えている。本発明のこの実施形により、構造体１７に把持されたアーマチュア１５と１６は互いに独立して位置決めできるので、アーマチュアの各延長部１５ａ，１６ａ，１５ｂ及び１６ｂが電磁石８と９の磁極に有効に支えられたり、支えられなかったりする。
【００１６】
アーマチュア１５は軸１２から最も離れた部分にヒール部１５ｄを備えている。他方で、このヒール部付近には構造体１７の横材部１７ｄが設けられており、その結果、図２の位置では、ヒール部が電磁石８と９にレバ−１０を接止させようとする軸１２まわりの旋回トルクを横材１７ｄに及ぼすようになっている。このことは、アーマチュア１５と電磁石８との協働がばね１８の力の影響下で構造体１７の運動及びレバー端部１０ａの運動を制限することを可能にするような図２の位置では有効である。
【００１７】
さらに、非磁性構造体１７の外側部分には棒材部１７ｅが設けられている。この棒材部は、アーマチュア１５と同じ幅で設けられ、構造体１７の位置に応じて電磁石８の方へアーマチュア１５を押すようになっている。本発明のこの実施形により、電磁石を作動させてアーマチュア１５を電磁石８の磁極に当てるという必要はない。実際に、ばね１８の力に抗してアーマチュア１６を移動することは、それとともに固定された構造体１７の移動を誘発し、そして棒材部１７ｅにより、軸１２まわりの旋回トルクがアーマチュア１５に伝達され、このトルクは、アーマチュア１５を電磁石に当てるのに効果がある。
【００１８】
レバー１０の端部１０ａの幾何学形状により、フック１と２がその経路の上死点付近にある時、レバーの高さ位置を所定の位置にできる。この場合、レバー１０の端部１０ａは、このレバーの外形により装置の内側の方へ押され、これにより、アーマチュア１６が電磁石９に当てられ、また棒材部１７ｅによりアーマチュア１５が電磁石８に当てられる。従って、電磁石８と９は、アーマチュアが当てられた位置でこのアーマチュアを固定するためにばね１８による力に抗して働たらくが、アーマチュア１５或いは１６を引きつけるための相当な磁力は必要でない。電磁石８と９は、固定するという唯一の機能に応じて定寸することができ、少しの電流しか消費しない。従って、選択装置に所属するレバー１０と１１の二連のアーマチュアの高さ位置を効果的に所定の位置にできる。
【００１９】
レバー１０は、非磁性構造体１７の一部に形成された横板２０を備えている。この板２０は、装置操作を妨げる繊維或いはダストを避けるために、電磁石、ばね並びにアーマチュアを周辺大気から隔離するように働く。
アーマチュア１６はレバー１０の端部１０ａと一体的に図示されているが、このアーマチュアとレバーの端部が電磁石９の下側部分より下方で、即ち、ばね１８とほぼ同じ高さで分離されていてもよく、またレバーの端部１０ａの下方部分が非磁性構造体１７の延長部で構成されていてもよいことは明らかである。このことは、本発明の範囲からはずれるものではない。
【００２０】
本発明は、本出願人のフランス国特許出願 96 12329 号明細書の発明による２つのフックに関連して本発明を説明したが、本発明は、フックがレバーの位置に応じて選択することができる限り、全種のフックに適用できる。
本発明によるスリーポジション式ジャカード織機の織成機構は、上述のように、多数の選択装置を備えることができ、高速で非常に信頼性のある操作ができ、その上エネルギ消費も少ない。
【００２１】
さらに、そのような機構を備えた織機はベルベット或いはカーペットのような特殊な織物を低コストで製造することを可能にする。
【図面の簡単な説明】
【図１】本発明による、第一位置にある織成機構の選択装置の縦断面図である。
【図２】図１の装置の右側部分の第二位置を示す図である。
【図３】装置が第三位置にある時の、図２と同様な図である。
【図４】図１の装置に所属するレバーの斜視図である。
【図５】図４のＶ−Ｖ線に沿った断面図である。
【図６】図４のＶＩ−ＶＩ線に沿った断面図である。
【図７】図４のＶＩＩ−ＶＩＩ線に沿った断面図である。
【図８】図４のＶＩＩＩ−ＶＩＩＩ線に沿った断面図である。
【図９】図４のＩＸ−ＩＸ線に沿った断面図である。
【図１０】図４のＸ−Ｘ線に沿った断面図である。
【符号の説明】
１，２            フック
１ａ，２ａ        孔
３                ナイフ
４，５            コード
８，９            電磁石
１０，１１        レバー
１２              軸
１５，１６，      アーマチュア
１５ａ，１６ａ，１５ｂ，１６ｂ      延長部
１５ｃ            アイレット部
１５ｄ            ヒール部
１７              非磁性構造体
１７ａ，１７ｂ    ほお部
１７ｄ            横材部
１７ｅ            棒材部
１８              ばね
１９              中央リブ
２０              横板部
【図１】
0004043570.tif 000002
【図２】
0004043570.tif 000003
【図３】
0004043570.tif 000004
【図４】
0004043570.tif 000005
【図５】
0004043570.tif 000006
【図６】
0004043570.tif 000007
【図７】
0004043570.tif 000008
【図８】
0004043570.tif 000009
【図９】
0004043570.tif 000010
【図１０】
0004043570.tif 000011